(57)【要約】【課題】温風暖房装置において、複数の主要機能部品からの配線のコネクタ部を、主電装基板のコネクタ部に差し込んで接続する際に、量産組立て時の作業工程での接続不良を低減する。【解決手段】主電装基板７ａは本体ケース１９の正面に向って左側面側に沿って配置し、かつ主電装基板の右側で、燃焼室３の左側に位置する空間２０ａに、ファンモータ６、ガス制御ブロック１０、主電装基板及びガスバーナ１への燃料供給のためのノズル部９を配置し、ファンモータ、ガス制御ブロック等から導出した配線１７は、そのコネクタ部１２を主電装基板上のコネクタ部１８に右側から左側に向って差し込んで接続する構成にした温風暖房装置である。右利きの多い作業者はごく自然な姿勢の手先で配線作業を確実にできる。【選択図】  図１
2004156850.tif 000002
【特許請求の範囲】
【請求項１】
本体ケース内に、熱源部と、前記熱源部で熱交換した空調空気を吹出し口から吹出させる対流ファンと、前記対流ファンを駆動するファンモータと、前記ファンモータ等から導出した配線が接続され、ファンモータ、熱源部等の制御を行う主電装基板とを内装したものであって、前記主電装基板は前記本体ケースの正面に向かって左側面側に沿って配置し、かつ前記配線とのコネクタ部を有し、また前記主電装基板の右側で、かつ前記熱源部の左側に位置する空間には、前記ファンモータを配置し、前記配線はコネクタ部を有し、前記コネクタ部を前記主電装基板のコネクタ部に前記本体ケースの正面に向かって右側から左側に向って差し込んで接続する構成にした空調装置。
【請求項２】
空気吸込口及び温風吹出口を有する本体ケース内に、前記空気吸込口から空気を得て燃料を燃焼させるバーナを臨ませた燃焼室と、前記空気吸込口から吸い込んだ空気を燃焼室内のバーナによる燃焼時の熱で加熱し、温風吹出口から排出させる対流ファンと、前記対流ファンを駆動するファンモータと、前記バーナの燃焼量を制御する燃料制御ブロックと、前記ファンモータ及び燃料制御ブロックを制御する主電装基板とを備えたものであって、前記主電装基板は前記本体ケースの正面に向って左側面側に沿って配置し、また前記主電装基板の右側で、かつ前記燃焼室の左側に位置する空間には、前記ファンモータ、燃料制御ブロック、主電装基板及びバーナへの燃料供給のためのノズル部を配置し、前記ファンモータ、燃料制御ブロックから導出し、前記主電装基板へ接続する配線はコネクタ部を有し、前記コネクタ部を主電装基板上のコネクタ部に前記本体ケースの正面に向って右側から左側向きに差し込んで接続する構成にした温風暖房装置。
【請求項３】
運転するための主電源スイッチを設けた操作用電装基板は、本体ケースの天面部に配置し、かつ前記主電源スイッチを前記本体ケースの正面に向って一番右側に配置し、前記操作用電装基板と主電装基板を結ぶコネクタ部を有する主配線は、前記操作用電装基板の左端から導出し、かつ前記主電装基板のコネクタ部に右側から左側に向って前記コネクタ部を差し込んで接続する構成にした請求項１記載の空調装置または請求項２記載の温風暖房装置。
【発明の詳細な説明】
【０００１】
【発明の属する技術分野】
本発明は、エアコン等の空調装置、またはガス、石油等を燃料とする温風暖房装置に関するものである。
【０００２】
【従来の技術】
従来のこの種のガス温風暖房装置は図５、図６に示すように、空気吸込口２及び温風吹出口４を有する本体ケース１９内に、空気吸込口２からフィルターを介して空気を得て燃料を燃焼させるガスバーナ１を臨ませた燃焼室３と、空気吸込口２から吸い込んだ空気を燃焼室３内のガスバーナ１による燃焼時の熱で加熱し、温風吹出口４から排出させる対流ファン５と、対流ファン５を駆動するファンモータ６と、ガスバーナ１の燃焼量を制御するガス制御ブロック１０と、ファンモータ６及びガス制御ブロック１０を制御する主電装基板７と、電源トランス８と、ガス制御ブロック１０にガスパイプ１１を介して接続し、ガスバーナ１にガスを供給するノズル部９とを備えている。
【０００３】
そして、ガス温風暖房装置は本体ケース１９の正面に向かって左側に燃焼室３を配置し、この燃焼室の右側の空間２０に対流ファン５を駆動させるファンモータ６、燃焼量を制御するガス制御ブロック１０、ガスパイプ１１、ノズル部９、電源トランス８等を配置し、ファンモータ６、電源トランス８、ガス制御ブロック１０に複数の配線１７で接続して制御するための主電装基板７を本体ケース１９の正面に向かって右側面側に沿って配置した構成にしている。
【０００４】
さらに複数の配線１７は、それぞれコネクタ部１２を有し、このコネクタ部１２を本体ケース１９の左側から右側に向かって主電装基板７上の複数のコネクタ部１８へ差し込んで接続する構成にしている。主電源スイッチ１３は、ガス温風暖房装置の運転、停止及び主電装基板７への電源供給、停止を行なうもので、本体ケース１９の天面部に設置した操作用電装基板１４の右端に位置して本体ケース１９の右側に配置している。そして、主電源スイッチ１３は、主配線１６を介してコネクタ部１２ａを本体ケース１９の正面に向って左側から右側に向って主電装基板７のコネクタ部１８ａに差し込んで接続する構成にしている。
【０００５】
しかしながら、上記従来のガス温風暖房装置における量産組立てラインでの主配線１６、配線１７の主電装基板７への接続作業は、世間一般に右利きの人が多いことから、右利きの作業者により行われることが多い。すなわち、右利きの作業者は主配線１６、配線１７のコネクタ部１２ａ、１２を右手に持ち、本体ケース１９の正面に向かって左側から右側に向って主電装基板７のコネクタ部１８ａ、１８に差し込む配線作業となり、利き手の右手先の向きを捻りながら作業をしなければならなくて手先が無理な姿勢を強いられていた。
【０００６】
従って、コネクタ部１８、１８ａに対するコネクタ部１２、１２ａの差し込みが不充分になりがちで、配線１７、主配線１６の接続不良が生じ易く、かつ接続不良が生じないよう注意を払いながらの作業となり、作業効率の向上が求められていた。
【０００７】
【発明が解決しようとする課題】
上記従来の技術の問題点に鑑み、本発明が解決しようとする課題は、配線の接続作業における作業者の手先の作業向きが、多くの右利きの人において、ごく自然な動作になるようにして配線の接続不良を防止し、かつ作業効率の向上を図れる空調装置または温風暖房装置を提供することにある。
【０００８】
【課題を解決するための手段】
上記課題を解決するための本発明は、配線作業時における作業者の手先の作業向きが、多くの右利きの人において、ごく自然な動作となるよう、配線のコネクタ部を持った右手の差し込み方向が右側から左側に向ってできるように、主電装基板を当該空調装置または温風暖房装置の本体ケースの正面に向って左側面側に沿って配置し、また前記主電装基板の右側で、かつ前記熱源部の左側に位置する空間には、ファンモータを配置し、主電装基板のコネクタ部に、ファンモータ等からの配線のコネクタ部を、本体ケースの正面に向かって右側から左側向きに差し込んで接続する構成にしたものである。
【０００９】
上記手段によれば、ファンモータ等からの配線は、そのコネクタ部の主電装基板上のコネクタ部への差し込み方向が、従来とは逆に本体ケースの正面に向かって右側から左側に向かった差し込み動作になり、多くの右利きの作業者は配線の接続作業をごく自然な手先の向きで最後までより確実にコネクタ部を押し込むことができ、配線の確実な接続と作業が容易で効率を高めることができる。
【００１０】
【発明の実施の形態】
上記した本発明の目的は、各請求項に記載した構成を実施の形態とすることにより達成できるので、以下には各請求項の構成にその構成による作用効果を併記し併せて請求項記載の構成のうち説明を必要とする特定用語については詳細な説明を加えて、本発明における実施の形態の説明とする。
【００１１】
本発明の請求項１記載に係る発明は、本体ケース内に、熱源部と、前記熱源部と熱交換した空調空気を吹出し口から吹出させる対流ファンと、前記対流ファンを駆動するファンモータと、前記ファンモータ等から導出した配線が接続され、ファンモータ、熱源部等の制御を行う主電装基板とを内装したものであって、前記主電装基板は前記本体ケースの正面に向かって左側面側に沿って配置し、かつ前記配線とのコネクタ部を有し、また前記主電装基板の右側で、かつ前記熱源部の左側に位置する空間には前記ファンモータを配置し、前記配線はコネクタ部を有し、前記コネクタ部を前記主電装基板のコネクタ部に前記本体ケースの正面に向かって右側から左側向きに差し込んで接続する構成にした空調装置である。
【００１２】
また請求項２記載に係る発明は、空気吸込口及び温風吹出口を有する本体ケース内に、前記空気吸込口から空気を得て燃料を燃焼させるバーナを臨ませた燃焼室と、前記空気吸込口から吸い込んだ空気を燃焼室内のバーナによる燃焼時の熱で加熱し、温風吹出口から排出させる対流ファンと、前記対流ファンを駆動するファンモータと、前記バーナの燃焼量を制御する燃料制御ブロックと、前記ファンモータ及び燃料制御ブロックを制御する主電装基板とを備えたものであって、前記主電装基板は前記本体ケースの正面に向って左側面側に沿って配置し、また前記主電装基板の右側で、かつ前記燃焼室の左側に位置する空間には、前記ファンモータ、燃料制御ブロック、主電装基板及びバーナへの燃料供給のためのノズル部を配置し、前記ファンモータ、燃料制御ブロックから導出し、前記主電装基板へ接続する配線はコネクタ部を有し、前記コネクタ部を主電装基板上のコネクタ部に、前記本体ケースの正面に向かって右側から左側向きに差し込んで接続する構成にした温風暖房装置である。
【００１３】
上記の各実施の形態によれば、本体ケースの正面に向って左側面側に沿って主電装基板が配置され、ファンモータ等からの配線は、その配線に設けたコネクタ部の主電装基板上のコネクタ部への差し込み方向が、本体ケースの正面に向かって右側から左側に向かった差込み動作になり、右利きの多い作業者は配線の接続作業をごく自然な向きで最後までより確実にコネクタ部を押し込むことができる。
【００１４】
また請求項３記載に係る発明は、運転のための主電源スイッチを設けた操作用電装基板を、本体ケースの天面部に配置し、かつ前記主電源スイッチは、前記本体ケースの正面に向って一番右側に配置し、前記操作用電装基板と主電装基板を結ぶコネクタ部を有する主配線は、前記操作用電装基板の左端から導出し、前記主電装基板のコネクタ部に右側から左側に向って前記コネクタ部を差し込んで接続する構成にした請求項１記載の空調装置または請求項２記載の温風暖房装置である。
【００１５】
上記実施の形態によれば、当該装置の主電源スイッチの位置は、当該装置の本体ケースに向って、例えば操作用電装基板に複数のスイッチがある場合、他のスイッチよりも操作用電装基板の一番右側になり、人間工学的に設計配置されている。すなわち、主電源スイッチをＯＮ・ＯＦＦするとき、多くの右利きの人が、ごく自然に右手を出して容易に操作することができるようになる。
【００１６】
また、当該装置の本体ケースの天面部に設けた操作用電装基板から、当該装置を駆動制御する主電装基板へ接続する主配線は、主電源スイッチとは反対側、すなわち操作用電装基板の左端から導出されている。
【００１７】
そして、前記主配線は、ファンモータ、または燃料制御ブロックを制御する主電装基板が、この主電装基板にファンモータ、燃料制御ブロック等から導出した配線を、本体ケースの正面に向って右側から左側向きに差し込めて右利きの人が人間工学的に接続しやすくするため本体ケースの左側面側に配置したにもかかわらず、前記配線と同じようにコネクタ部に右側から左側に向って差し込み接続することが可能になる。
【００１８】
従って、操作用電装基板から主電装基板への主配線を最短長さで確実に接続することができるとともに、燃焼室または熱源部の温度の影響を受けやすい位置を避けて配線処理できるため、より安全に接続することができる。
【００１９】
【実施例】
以下、本発明の実施例について図面を用いて説明する。
【００２０】
（実施例１）
図１は本発明の実施例１におけるガス温風暖房装置の外郭内を示す概略正面図、図２は同概略右側面図である。なお、従来の技術と同一構成並びに作用を奏する構成には同じ符号を付している。
【００２１】
図１、図２において、背面に空気吸込口２及び正面下部に吹出し口としての温風吹出口４を有する本体ケース１９内に、空気吸込口２からフィルターを介して得た空気を混合したガスを燃焼させる熱源部としてのガスバーナ１を臨ませた熱源部としての燃焼室３と、空気吸込口２から吸い込んだ空気を燃焼室３内のガスバーナ１による燃焼時の熱で加熱し、温風吹出口４から排出させる対流ファン５と、対流ファン５を駆動するファンモータ６と、ガスバーナ１の燃焼量を制御する燃料制御ブロックとしてのガス制御ブロック１０と、運転のためファンモータ６及びガス制御ブロック１０等を制御する主電装基板７ａと、主電装基板７ａの電源トランス８と、ガス制御ブロック１０にガスパイプ１１を介して接続し、ガスバーナ１にガスを供給するノズル部９とを備えている。
【００２２】
そして、ガス温風暖房装置は本体ケース１９の正面に向かって右側に燃焼室３を配置し、主電装基板７ａの右側で、かつ燃焼室３の左側に位置する空間２０ａには、運転のため対流ファン５を駆動させる主要機能部品であるファンモータ６、ガスバーナ１の燃焼量を制御するガスパイプ１１、ノズル部９付のガス制御ブロック１０、電源トランス８等を配置している。
【００２３】
また、ファンモータ６、電源トランス８、ガス制御ブロック１０に複数の配線１７で接続してファンモータ６、ガス制御ブロック１０を制御するための主電装基板７ａは、空間２０ａ内にあって、本体ケース１９の正面に向かって左側面側に沿って配置した構成にしている。
【００２４】
さらに複数の配線１７は、それぞれコネクタ部１２を有し、一方、主電装基板７ａにおける配線用のコネクタ部１８の向きは、全て本体ケース１９の正面に向って右側から左側向きに接続のため差し込まれる構成にしている。すなわち、多くの右利きの人が人間工学的に配線し易いようにするため、コネクタ部１２を本体ケース１９の正面に向って右側から左側向きに主電装基板７ａ上の複数のコネクタ部１８へ差し込んで接続する構成にしている。
【００２５】
主電源スイッチ１３は、ガス温風暖房装置の運転、停止及び主電装基板７ａへの電源供給、停止を行なうもので、本体ケース１９の天面部に設置した操作用電装基板１４の右端に位置して本体ケース１９の右側に配置している。そして、主電源スイッチ１３は、主配線１６を介してコネクタ部１２ａを本体ケース１９の正面に向って左側から右側に向って主電装基板７のコネクタ部１８ａに差し込んで接続する構成にしている。
【００２６】
なお、主電装基板７ａに接続した配線１７は、ファンモータ６、電源トランス８、ガス制御ブロック１０の複数の主要機能部品から導出したもの以外に、他の主要機能部品からの配線も含むものである。
【００２７】
上記実施例において、ガス温風暖房装置の量産工程における配線を中心とした組立てを説明する。図１、図２に示すように本体ケース１９の右側に、ガスバーナ１を収容した燃焼室３、対流ファン５を設置し、また本体ケース１９の左側である空間２０ａにコネクタ部１２を有する配線１７付のファンモータ６、電源トランス８、ガス制御ブロック１０等の主要機能部品が設置され、さらに主電装基板７ａのコネクタ部１８、１８ａを右側に向けて主電装基板７ａを、本体ケース１９の正面に向って左側面側に沿って空間２０ａに縦方向に取り付ける。また、操作用電装基板１４を本体ケース１９の天面部に、主電源スイッチ１３の操作部を本体ケース１９外に露出させて取付ける。
【００２８】
そして、ファンモータ６、電源トランス８、ガス制御ブロック１０等の配線１７、主電源スイッチ１３の主配線１６は、右利きの作業者が右手でコネクタ部１２、１２ａを持って、本体ケース２１の正面に向って右側から左側向きに、主電装基板７ａ上のコネクタ部１８、１８ａに差し込んで接続する。
【００２９】
このように主電装基板７ａは、本体ケース１９の正面に向って左側面側に沿って設けられ、かつその主電装基板７ａ上における接続用のコネクタ部１８、１８ａの向きが、全て本体ケース１９の正面に向って右側から左側に向って主配線１６、配線１７のコネクタ部１２ａ、１２が差し込み操作できるように構成しているため、量産組立て時の配線作業時における右利きの作業者は、主電装基板７ａの右側に配置されたファンモータ６、電源トランス８、ガス制御ブロック１０等の複数の主要機能部品からの配線１７、主配線１６のコネクタ部１２、１２ａの差し込み作業を、右手を使い、右から左側へごく自然の動作で行うことができる。
【００３０】
従って、人間工学的に好ましい、ごく自然な姿勢の手先で配線作業ができ、接続作業が容易で効率を向上でき、かつ確実な接続ができ配線不良を防止できる。
【００３１】
（実施例２）
図３は本発明の実施例２におけるガス温風暖房装置の外郭内を示す概略正面図、図４は同概略右側面図である。本実施例は、主電源スイッチを本体ケースの天面部の右側に配置するとともに、この構成により実施例１において本体ケース内の左側面側に配置した主電装基板と主電源スイッチが左と右側に離れたことによる主電装基板への通電用の配線を工夫したもので、実施例１と同一構成並びに作用効果を奏する部分には同一符号を付して詳細な説明を省略し、異なるところを中心に説明する。
【００３２】
図３、図４において、当該ガス温風暖房装置を運転操作等及び主電装基板７ａに通電をＯＮ・ＯＦＦするための主電源スイッチ１３を有する操作用電装基板１４は、燃焼室３の上方から空間２０ａにわたる長さで本体ケース１９の天面に沿って配置し、かつ主電源スイッチ１３は、図３に示すごとく、操作用電装基板１４の右端に位置し、そして本体ケース１９の天面に操作用電装基板１４を配置した状態で本体ケース１９の正面に向って一番右側に位置するように構成されている。
【００３３】
また、操作用電装基板１４の左端には、主電源スイッチ１３に操作用電装基板１４上に形成した通電回路を通じて電気的に接続され、かつ主電装基板７ａの上端に設けた電源供給用の一つのコネクタ部１８ａに接続する主配線１６ａを接続する配線接続取出し部１５が構成されている。
【００３４】
主配線１６ａはコネクタ部１２ａを有し、空間２０ａに位置する操作用電装基板１４の左端から導出し、かつ主電装基板７ａのコネクタ部１２ａが主電装基板７ａの上端に配置されているため、主電装基板７ａに接続する配線長さを最短にでき、かつ他の配線１７と同じように、右利きの作業者が右手でコネクタ部１２ａを持って、本体ケース１９の正面に向って右側から左側向きに、主電装基板７ａ上のコネクタ部１８ａに差し込んで接続する。
【００３５】
上記実施例において、実施例１で説明したのと同じように組立て配線が行われる。そして、主電源スイッチ１３に通じる主配線１６ａも、他の配線１７と同様に、右利きの作業者が右手でコネクタ部１２ａを持って本体ケース１９の正面に向って右側から左側向きに、主電装基板７ａ上のコネクタ部１８ａに差し込んで接続する。
【００３６】
このように主電源スイッチ１３は、ガス温風暖房装置を運転操作するため複数の他のスイッチよりも、本体ケース１９の一番右側に位置しているため、主電源スイッチ１３をＯＮ・ＯＦＦするとき、多くの人のほとんどが右利きの人であることを考慮すると、ごく自然に右手を伸ばして容易に操作することができ、当該ガス温風暖装置は、量産工程における配線作業の人間工学的配慮のみならず、使う人の立場も人間工学的に配慮した装置であるという優れた特徴を有している。
【００３７】
また、主電源スイッチ１３に電気的に通じ、かつ主電装基板７ａに接続する主配線１６ａは、操作用電装基板１４における主電装基板７ａが臨む空間２０ａに位置する左端から導出し、かつ主電装基板７ａの上端部に設けたコネクタ部１８ａに接続するので、本体ケース１９の天面部の右側に配置する主電源スイッチ１３は、容易に操作できることはもちろん、主電源スイッチ１３と主電装基板７ａが、右側と左側に位置してそれぞれの機能を充分に発揮するため距離的に離れていても、接続する配線長さを最短距離で確実に接続することができるとともに、主配線１６ａを燃焼時の温度の影響を受けやすい燃焼室３の上部では操作用電装基板１４上に通電回路を形成することで配線処理できるため、より安全な配線接続をすることができる。
【００３８】
なお、上記した各実施例の発明は、ガス温風暖房装置に適用したものであるが、石油を燃料とする石油温風暖房装置、または室外機と室内機からなるセパレート型のエアコン等の室内機である空調装置にも適用できるものである。
【００３９】
【発明の効果】
以上説明したように本発明は、配線のコネクタ部を持った右手の差し込み方向が右側から左側に向って差し込んで接続できるように、主電装基板を本体ケースの正面に向って左側面側に沿って配置したので、人間工学的に考慮し、作業者の手先がごく自然な姿勢で確実な配線作業を行え、配線の接続不備を防止できるとともに、作業効率を向上できる。
【図面の簡単な説明】
【図１】本発明の実施例１におけるガス温風暖房装置の外郭内を示す概略正面図
【図２】同ガス温風暖房装置の外郭内を示す概略右側面図
【図３】本発明の実施例２におけるガス温風暖房装置の外郭内を示す概略正面図
【図４】同ガス温風暖房装置の外郭内の概略右側面図
【図５】従来のガス温風暖房装置の外郭内を示す概略正面図
【図６】同ガス温風暖房装置の外郭内を示す概略右側面図
【符号の説明】
１  バーナ（熱源部）
２  空気吸込口
３  燃焼室（熱源部）
４  温風吹出口（吹出し口）
５  対流ファン
６  ファンモータ
７ａ  主電装基板
１０  ガス制御ブロック（燃料制御ブロック）
１２、１２ａ、１８、１８ａ  コネクタ部
１３  主電源スイッチ
１４  操作用電装基板
１６ａ  主配線
１７  配線
１９  本体ケース
２０ａ  空間
【図１】
2004156850.tif 000003
【図２】
2004156850.tif 000004
【図３】
2004156850.tif 000005
【図４】
2004156850.tif 000006
【図５】
2004156850.tif 000007
【図６】
2004156850.tif 000008